(57)【特許請求の範囲】
【請求項１】
インバータにて固定子巻線を駆動する電動機において、
上記固定子巻線の電源側第１スロットコイルは、スロット内及びコイルエンド部にて２分割し、
この２分割した第１スロットコイル内に絶縁紙を挿入する、
ことを特徴とする固定子巻線を有する電動機。
【請求項２】
インバータにて固定子巻線を駆動する電動機において、
上記固定子巻線の電源側の第１スロットコイルと第２スロットコイルとの間にあってコイルエンド部に絶縁紙を挿入した、
ことを特徴とする固定子巻線を有する電動機。
【請求項３】
上記固定子巻線の並列回路数を１又は極力少なくし、固定子巻線全体はＹ結線とすることを特徴とする請求項１又は２記載の固定子巻線を有する電動機。
【請求項４】
インバータにて固定子巻線を駆動する電動機において、
上記固定子巻線の電源側第１スロットコイルはスロット内及びコイルエンド部にて２分割し、この２分割した第１スロットコイル内に絶縁紙を挿入し、
上記固定巻線の電源側第１スロットコイルと第２スルットコイルとの間にあってコイルエンド部に絶縁紙を挿入し、
更に、上記固定子巻線の並列回路数を１又は極力少なくし固定子巻線全体はＹ結線とすることを特徴とする固定子巻線を有する電動機。
【発明の詳細な説明】
【０００１】
【産業上の利用分野】
本発明は、固定子巻線を有する電動機にあって、インバータを用いる場合サージ対策として新たな構造とした固定子巻線を有する電動機に関する。
【０００２】
【従来の技術】
電動機の制御にあってＰＷＭ制御によりインバータを運転する場合、例えば４００Ｖ級のインバータにあっては、敷設ケーブル長により電動機側にて高電圧が発生するという現象がある。これは図６に示すようにインバータ１と電動機２との間の配線腕のインダクタンス（Ｌ）と配線間浮遊容量（Ｃ）との値により、スイッチングにてＬＣ共振にて生じたサージ電圧がインバータ１の出力電圧に重畳され、この結果電動機端子電圧のピーク値が高くなることによる。
従来では、このサージ電圧を抑制するためサージアブソーバ等を備えるという対策が採られている。
【０００３】
【発明が解決しようとする課題】
ところが、小形電動機の制御においては、多くの場合サージアブソーバ等を備えるスペースは無く、サージアブソーバを備えるべく取付座等を設けたりするに当っては、サージアブソーバとは別の費用が必要となってサージアブソーバを含め全体としてコスト高となる。
【０００４】
本発明は、スペースの確保やコスト高を防止すべくサージ電圧に対する絶縁強化を図った固定子巻線を有する電動機の提供を目的とする。
【０００５】
【課題を解決するための手段】
上記の目的を達成する本発明は、
（１）インバータにて固定子巻線を駆動する電動機において、上記固定子巻線の電源側第１スロットコイルは、スロット内及びコイルエンド部にて２分割し、この２分割した第１スロットコイル内に絶縁紙を挿入する、ことを特徴とし、
（２）インバータにて固定子巻線を駆動する電動機において、上記固定子巻線の電源側の第１スロットコイルと第２スロットコイルとの間にあってコイルエンド部に絶縁紙を挿入した、ことを特徴とし、
（３）上記（１）又は（２）にあって、上記固定子巻線の並列回路数を１又は極力少なくし、固定子巻線全体はＹ結線とすることを特徴とし、
（４）インバータにて固定子巻線を駆動する電動機において、上記固定子巻線の電源側第１スロットコイルはスロット内及びコイルエンド部にて２分割し、この２分割した第１スロットコイル内に絶縁紙を挿入し、上記固定巻線の電源側第１スロットコイルと第２スロットコイルとの間にあってコイルエンド部に絶縁紙を挿入し、更に、上記固定子巻線の並列回路数を１又は極力少なくし固定子巻線全体はＹ結線とすることを特徴とする。
【０００６】
【作用】
ここで、サージ電圧についてその特性等を説明する。回転機の巻線は図７に示すように一相分のコイル群が何グループかに分かれ、低圧機器の場合１グループは同一スロットに収納されることになり、この結果、同一グループの巻き始め（ａ点）と巻き終り（ｂ点）とが素線のままにて接する。かかる構造にあってサージ電圧が侵入すると、この素線間（ａ−ｂ）に過大電圧が加わることになる。
通常の商用電源では、電圧は各巻線グループに均等に分担されるが、サージ電圧の場合分担は均等でなく、伝ぱん速度が有限でありしゅん度により１グループのみにサージ電圧が加わることがある。
即ち、図８に示すようにサージが急しゅんであればａ点は波頭又はその近くの値となり、ゆるやかであれば低電圧しか到達しないこととなって、例えば図８中のＥ１  Ｅ２  になる。
このａ，ｂ間の電圧を数式にて表わすと
次のようになる。
Ｖａｂ＝（ｌａｂ／ｖ）・（Ｅ／ｔｆ  ）
ここで、Ｖａｂはａｂ間の電圧（ｖ）、ｌａｂはａｂ間の線路ながあ（ｍ）、ｖはサージの伝速度（８，８×１０６  ｍ／ｓｅｃ）、Ｅはサージの波頭電圧（Ｖ）、ｔｆ  はサージ波頭立より時間（ｓｅｃ）となる。
こうして、ａｂ間に波頭が到達した場合には、ａｂ間に最も放電が発生しやすくなり、一般にはこのサージ電圧による繰り返し放電にて絶縁劣化が進行して破壊に到ることになる。
【０００７】
かかるサージ電圧が巻線素線間に加わらないようにしたのが本発明であり、絶縁補強をしたり巻線に工夫をこらすことによって高電圧の分担を減らしたものである。
【０００８】
【実施例】
ここで、図１ないし図５を参照して本発明の実施例を説明する。
図１は、電動機の固定子鉄心３並びに固定子巻線４の一部を示しており、電源側の第１スロットコイル４ａと第２スルットコイル４ｂとを主に示している。この実施例では、電源側の第１スロットコイル４ａと第２スロットコイル４ｂとの間にあって、コイルエンド部には絶縁紙が介在されている。この絶縁紙は第１スロットコイル４ａと第２スロットコイエル４ｂとのコイルエンド部での絶縁補強となる。
【０００９】
図２は、本発明の他の実施例であり、電源側の第１スロットコイル４ａを２分割して４ａ１と４ａ２としこの２分割のものスロット内もしくはコイルエンド部にてを絶縁紙を挿入する。
図３は、２分割した第１スロットコイル４ａ１と４ａ２との断面を示しており、単層巻き及び２層巻きの場合を示している。２層巻きの場合には下層導体を２分割コイル４ａ１，４ａ２とし上層導体は分割しない構造となっている。なお、短節巻きにより上下層共２分割構造になる場合もある。
このために、第１スロットコイル４ａを絶縁補強することができる。
【００１０】
図４は、電源側の第１スロットコイル４ａでの高電圧分担を減少させるべく並列回路を減少させ更にはΔ結線をＹ結線とする例を模擬的に示しており、高電圧を分担する箇所を少なくする。図４では並列４回路を１回路とし、Δ結線をＹ結線としており、並列回路の減少にて高電圧分担箇所を１／４に減少させ、Δ→Ｙにより高電圧分担箇所を１／２に減少できる。図４ではＸ箇所が高電圧分担箇所で４並列回路では２４箇所Δ結線では６箇所Ｙ結線では３箇所となる。
図５は図４を実施の巻線と対応させ表わした図である。
【００１１】
【発明の効果】
以上説明したように本発明によれば、巻線絶縁を強化すると共に高圧分担箇所を少なくすることができ、インバータ運転時のスイッチングサージに対して電動機にサージアブソーバ等を設けることなく安価に対応することができる。
【図面の簡単な説明】
【図１】電源側固定子巻線の一部を示す一実施例の図。
【図２】電源側固定子巻線の一部を示す他の実施例の図。
【図３】２分割コイルの簡略断面図。
【図４】高圧分担箇所を減少させる巻線の模擬図。
【図５】図４と巻線との対応図。
【図６】インバータと電動機との線路インピーダンス説明図。
【図７】一相分のコイルの説明図。
【図８】サージ電圧の説明図。
【符号の説明】
４  固定子巻線
４ａ，４ａ１，４ａ２  第１スロットコイル
４ｂ  第２スロットコイル
【図１】
0003601118.tif 000002
【図２】
0003601118.tif 000003
【図３】
0003601118.tif 000004
【図４】
0003601118.tif 000005
【図５】
0003601118.tif 000006
【図６】
0003601118.tif 000007
【図７】
0003601118.tif 000008
【図８】
0003601118.tif 000009